(57)【要約】【課題】カメラの大型化を招くことなく高精度な焦点検出ユニットの角度調整が可能な焦点検出装置を提供すること。【解決手段】ボディにはＹ方向の調整ビスと段ビスの間に配置される第一の突き当て部と、Ｘ方向の調整ビスとＸ方向の位置が等しい位置に配置される第二の突き当て部と、を設け、第一の突き当て部の形状はＸ方向の回転中心を中心とする円弧形状となっている。【選択図】図２（ａ）
2016142775.tif 000002
【特許請求の範囲】
【請求項１】
撮像素子（１２０）上に被写体光を導光する焦点検出光学系（１０００）と、
前記焦点検出光学系を保持する保持部材（１０２）と、
前記保持部材に設置された光軸に垂直な位置規制面１（１０８０）と、
撮像装置における撮影画面の長辺方向をＸ、Ｘと被写体光光軸に垂直な方向をＹとしたとき、
位置規制面１からＹ方向に前記保持部材に設けられ、光軸に垂直な位置及び角度規制用の位置規制面２（１０８１）と、
位置規制面１からＸ方向に前記保持部材に設けられ、光軸に垂直な位置及び角度規制用の位置規制面３（１０８２）と、
撮像装置に取り付けるために、位置規制面１、位置規制面２、位置規制面３から光軸方向にそれぞれ設置された取付面１（１０７０）、取付面２（１０７１）及び取付面３（１０７２）を有する固定部材（１０１）と、
位置規制面１と取付面１の間隔を規制する位置規制手段（１０４０）と、
位置規制面２と取付面２の間隔を調整する第一の調整手段（１０４１）と、
位置規制面３と取付面３の間隔を調整する第二の調整手段（１０４２）とを有し、
前記焦点検出光学系の光軸の角度を調整する調整機構を持った、撮像素子に結像された被写体光から焦点を検出する焦点検出ユニット（１００）であって、
前記保持部材（１０２）の前記位置規制手段（１０４０）と前記第一の調整手段（１０４１）との間に配置され、前記固定部材（１０１）に向かって突出した第一の突き当て部（１１１）と、
前記保持部材（１０２）の前記第二の調整手段（１０４２）とＸ方向の位置が等しい位置に配置され、前記固定部材（１０１）に向かって突出した第二の突き当て部（１１０）とを有し、
前記第一の突き当て部（１１１）の突き当て面（１１１１）は光軸とＸ軸で構成される面に投影される形状が前記第一の調整手段（１０４１）により前記保持部材（１０２）が回転する回転中心を投影した点を中心とする円弧形状であることを特徴とする焦点検出装置。
【発明の詳細な説明】
【技術分野】
【０００１】
本発明は、一眼レフカメラ等の撮像装置に関し、特に焦点検出装置に関する。
【背景技術】
【０００２】
一眼レフカメラには、撮影光学系の焦点状態を検出する焦点検出ユニットが搭載されている。該焦点検出ユニットは、フィールドレンズと二次結像レンズとを含む焦点検出光学系を備えている（特許文献１参照）。焦点検出ユニットは、一対の被写体像を受光素子により電気信号（像信号）に変換し、該一対の像信号の位相差に基づいて撮影光学系の焦点状態を検出する。
【０００３】
焦点検出ユニットは一般にカメラの下部に設けられており、撮影レンズと撮影素子との間にサブミラーを設け、かかるサブミラーによって被写体光の一部を屈曲させて焦点検出ユニットに入射させる構成となっている。この構成において、焦点検出ユニットの光軸と撮像素子の光軸を合わせる調整機構、所謂、瞳調整機構のため該焦点検出ユニットを撮像装置に対して角度調整して取り付けるものがある。
【０００４】
特許文献２では、ミラーボックスに設けたボスに対し、コイルバネを介装してビスにより焦点検出ユニットを取り付ける機構が開示されている。これは、ビスの締め付け量に応じて焦点検出ユニットの取付角度の調整がなされ、かつこのとき取付部がバネによって付勢されることで調整角度以外の姿勢変化を生じない機構であり、焦点検出ユニットに入射する光線の入射角の調整に要する工数を低減する。
【先行技術文献】
【特許文献】
【０００５】
【特許文献１】特公平３−２８６９０号公報
【特許文献２】特開２０００−１９３８２号公報
【発明の概要】
【発明が解決しようとする課題】
【０００６】
しかしながら、特許文献２に開示された従来技術の構成は、ピッチ方向とヨー方向のそれぞれの焦点検出ユニットの取付角度に対して、ヨー方向のみを調整可能とした構成となっており、ピッチ方向は型の作りこみで調整する構成となっている。そのため、ピッチ方向の誤差を焦点検出ユニットの取付け時に調整することができないため、焦点検出精度の低下を招いていた。また、焦点検出ユニットの取付け時にミラーボックスに突き当てる部分がビスの周囲に配置されているため、焦点検出ユニットが大型化してしまうという課題があった。
【０００７】
本発明は、カメラの大型化を招くことなく高精度な焦点検出ユニットの角度調整が可能な焦点検出装置を提供することを目的とする。
【課題を解決するための手段】
【０００８】
上記の目的を達成するために、本発明の焦点検出装置は、撮像素子上に被写体光を導光する焦点検出光学系と、前記焦点検出光学系を保持する保持部材と、前記保持部材に設置された光軸に略垂直な位置規制面１と、撮像装置における撮影画面の長辺方向をＸ、Ｘと被写体光光軸に垂直な方向をＹとしたとき、位置規制面１からＹ方向に前記保持部材に設けられ、光軸に略垂直な位置及び角度規制用の位置規制面２と、位置規制面１からＸ方向に前記保持部材に設けられ、光軸に略垂直な位置及び角度規制用の位置規制面３と、撮像装置に取り付けるために、位置規制面１、位置規制面２、位置規制面３から光軸方向にそれぞれ設置された取付面１、取付面２及び取付面３を有する固定部材と、位置規制面１と取付面１の間隔を規制する位置規制手段と、位置規制面２と取付面２の間隔を調整する第一の調整手段と、位置規制面３と取付面３の間隔を調整する第二の調整手段とを有し、前記焦点検出光学系の光軸の角度を調整する調整機構を持った、撮像素子に結像された被写体光から焦点を検出する焦点検出ユニットであって、前記保持部材の前記位置規制手段と前記第一の調整手段との間に配置され、前記固定部材に向かって突出した第一の突き当て部と、前記保持部材の前記第二の調整手段とＸ方向の位置が等しい位置に配置され、前記固定部材に向かって突出した第二の突き当て部とを有し、前記第一の突き当て部の突き当て面は光軸とＸ軸で構成される面に投影される形状が前記第一の調整手段により前記保持部材が回転する回転中心を投影した点を中心とする略円弧形状であることを特徴とする。
【発明の効果】
【０００９】
本発明によれば、カメラの大型化を招くことなく高精度な焦点検出ユニットの角度調整が可能な焦点検出装置の提供を実現できる。
【図面の簡単な説明】
【００１０】
【図１】本発明の実施形態に係る被写体検出装置を含む光学機器の概略構成図
【図２（ａ）】焦点検出ユニット１００の瞳調整に関する部分についての分解斜視図
【図２（ｂ）】焦点検出ユニット１００の瞳調整に関する部分についての分解斜視図
【図２（ｃ）】焦点検出ユニット１００の瞳調整に関する部分についての分解斜視図
【図３】焦点検出ユニット１００を段付きビス１０４０、瞳調整用ビス１０４１、１０４２の軸方向から見た図
【図４】突き当て部１１０および１１１の形状の考え方を説明するための図
【図５（ａ）】焦点検出ユニットの光軸と撮像素子の光軸のズレがない状態における焦点検出ユニットを示す図
【図５（ｂ）】焦点検出ユニットの光軸と撮像素子の光軸のズレがない状態における焦点検出ユニットを示す図
【図５（ｃ）】焦点検出ユニットの光軸と撮像素子の光軸のズレがない状態における焦点検出ユニットを示す図
【図５（ｄ）】焦点検出ユニットの光軸と撮像素子の光軸のズレがない状態における焦点検出ユニットを示す図
【図６（ａ）】瞳調整用ビス１０４１を締め付けた後の焦点検出ユニット１００の状態を示す図
【図６（ｂ）】瞳調整用ビス１０４１を締め付けた後の焦点検出ユニット１００の状態を示す図
【図６（ｃ）】瞳調整用ビス１０４１を締め付けた後の焦点検出ユニット１００の状態を示す図
【図６（ｄ）】瞳調整用ビス１０４１を締め付けた後の焦点検出ユニット１００の状態を示す図
【図６（ｅ）】瞳調整用ビス１０４１を締め付けた後の焦点検出ユニット１００の状態を示す図
【図６（ｆ）】瞳調整用ビス１０４１を締め付けた後の焦点検出ユニット１００の状態を示す図
【図６（ｇ）】瞳調整用ビス１０４１を締め付けた後の焦点検出ユニット１００の状態を示す図
【図７（ａ）】図６の状態からさらに瞳調整用ビス１０４２を締め付けた後の焦点検出ユニット１００の状態を示す図
【図７（ｂ）】図６の状態からさらに瞳調整用ビス１０４２を締め付けた後の焦点検出ユニット１００の状態を示す図
【図７（ｃ）】図６の状態からさらに瞳調整用ビス１０４２を締め付けた後の焦点検出ユニット１００の状態を示す図
【図７（ｄ）】図６の状態からさらに瞳調整用ビス１０４２を締め付けた後の焦点検出ユニット１００の状態を示す図
【図７（ｅ）】図６の状態からさらに瞳調整用ビス１０４２を締め付けた後の焦点検出ユニット１００の状態を示す図
【発明を実施するための形態】
【００１１】
以下、本発明の実施例について図面を参照しながら説明する。
【００１２】
図１は本発明の実施形態に係る被写体検出装置を含む光学機器の概略構成図である。
【００１３】
図１において、２００は本発明のカメラ筐体である。３００はカメラ筐体２００に固定されたマウント（図示せず）に対して着脱可能な交換レンズである。交換レンズ３００は、撮影レンズ１を収容している。４００はミラーボックスである。２はメインミラーであり、３はサブミラーである。メインミラー２とサブミラー３はミラーボックス４００内に配置されている。１００は焦点検出装置であり、ミラーボックス４００の下面に配置され、ビスによって結合されている。
【００１４】
メインミラー２によって反射された光は、撮像素子１４と光学的に共役な位置に配置されたピント板１０上に結像する。ピント板１０にて拡散されてこれを透過した光（被写体像）は、ペンタダハプリズム１１によって正立像に変換される。正立像は、接眼レンズ１２によって拡大され、ユーザにより観察される。
【００１５】
１３はフォーカルプレンシャッタであり、１４は撮像素子である。フォーカルプレンシャッタ１３は、撮像素子１４に入射する光量を制限する。撮像素子１４は撮影レンズ１により形成された被写体像を光電変換して画像を生成し、電気信号を出力するＣＣＤセンサやＣＭＯＳセンサ等の光電変換素子により構成される。２１はカメラにおける各種演算や各種動作の制御を行うコントローラとしてのカメラＣＰＵである。
【００１６】
交換レンズ３００において、２２は交換レンズ３００に関する各種情報を記憶しているメモリである。２３は撮影レンズ１に含まれるフォーカスレンズ（図示せず）を光軸方向に移動させて撮影レンズ１の焦点調節を行わせるフォーカスモータである。フォーカスモータ２３は、カメラＣＰＵ２１によってその動作が制御される。
【００１７】
次に、焦点検出装置１００を用いた撮影レンズ１の焦点状態の検出（焦点検出）について説明する。被写体からの光は、撮影レンズ１を通過した後、ハーフミラーより構成されたメインミラー２に入射する。メインミラー２に入射した光の一部は該メインミラー２を透過し、サブミラー３で反射されて焦点検出装置１００のフィールドレンズ１００１に入射する。
【００１８】
焦点検出光学系１０００は、フィールドレンズ１００１、光学フィルタ１００２、絞り１００３、二次結像レンズ１００４によって構成されている。フィールドレンズ１００１は、入射した光（光束）を集光させる。フィールドレンズ１００１を透過した光束は、赤外カットフィルタ等の光学フィルタ１００２を通過し、絞り１００３によってその通過範囲が制限されて二次結像レンズ１００４に入射する。絞りによる光通過範囲の分割および制限機能により、二次結像レンズ１００４には、撮影レンズ１の射出瞳内の２つの領域を通過した光束が入射する。二次結像レンズ１００４は、入射した２つの光束を焦点検出用の撮像素子である焦点検出センサ１２０上に再結像させる。これにより、焦点検出センサ１２０上には、上記２つの瞳分割領域からの光束により一対の光学像である被写体像が形成される。焦点検出センサ１２０は、該一対の被写体像を光電変換して一対の像信号を出力する。
【００１９】
カメラＣＰＵ２１は、該一対の像信号に対して相関演算を行うことで、それらの相対的な位置ずれを示す位相差を算出し、該位相差に基づいて撮影レンズ１の焦点状態（デフォーカス量）を算出する。そして、カメラＣＰＵ２１は、デフォーカス量に基づいて、合焦状態を得るためにフォーカスレンズを移動させるべき量を算出する。その後、カメラＣＰＵ２１は、その算出結果に応じてフォーカスモータ２３を駆動してフォーカスレンズを移動させることにより焦点調節を行わせて合焦状態を得る。
【００２０】
カメラＣＰＵ２１は、上述した焦点検出および焦点調節が行われた後、メインミラー２およびサブミラー３を撮影レンズ１からの光路外に退避させる。これにより、撮影レンズ１からの光がフォーカルプレンシャッタ１３を介して撮像素子１４に到達し、該撮像素子１４上に被写体像を形成する。撮像素子１４は該被写体像を光電変換し、カメラＣＰＵ２１は撮像素子１４からの電気信号に基づいて画像を生成し、これを記録媒体に記録する。
【００２１】
次に、焦点検出ユニット１００の光軸と撮像素子の光軸を合わせる調整機構、所謂、瞳調整機構のため、焦点検出ユニット１００を撮像装置に対して角度調整した状態で取り付ける構成について図２〜図５を用いてさらに詳細に説明する。
【００２２】
図２（ａ）、（ｂ）、（ｃ）は焦点検出ユニット１００の瞳調整に関する部分についての分解斜視図である。
【００２３】
図２において、１０２は焦点検出光学系をはじめとする焦点検出ユニットの各部材を保持するための保持部材である。１０１は保持部材１０２を位置及び角度を固定した上で撮像装置に取りつけるためのユニット固定部材である。
【００２４】
保持部材１０２には、図２（ａ）、（ｂ）、（ｃ）に示すように、固定部材１０１に対して位置・角度を調整するための突起部が設けられている。１０８０は、突起部に設けられ後述する段付きビスが接する位置規制面１である。１０８１は、突起部に設けられ後述する瞳調整用ビスが接する位置規制面２である。１０８２は、突起部に設けられ後述する瞳調整用ビスが接する位置規制面３である。１０６０は、位置規制面１０８０および位置規制面１０８１と対向して突起部に設けられ、後述するコイルバネが接する被付勢面である。１０６２は、位置規制面１０８２と対向して突起部に設けられ、後述するコイルバネが接する被付勢面である。
【００２５】
固定部材１０１には、被付勢面１０６０に対向する取付面１０７０、１０７１と、被付勢面１０６２に対向する取付面１０７２が設けられている。１０４０は位置規制面１０８０と取付面１０７０の間隔を規制する位置規制手段である段付きビスである。また１０４１、１０４２は突起部と取付面との間隔の調整手段である瞳調整用ビスである。
【００２６】
１０５は圧縮コイルバネであり、被付勢面１０６０、１０６２と取付面１０７０、１０７１、１０７２のそれぞれの間に配置され、それぞれの間隔を広げる方向に付勢している。コイルバネ１０５が介されていることで、位置規制面１０８１と取付面１０７１、及び位置規制面１０８２と取付面１０７２の間隔はそれぞれ瞳調整用ビス１０４１、１０４２の締め込みによって調整し一意に規制することが可能である。これにより、瞳調整用ビス１０４１、１０４２を締め込む乃至は緩めることで、段付きビス１０４０によって規制された位置を基準として、保持部材１０２のユニット固定部材１０１への取付角度を調整する構成となっている。
【００２７】
１０３はユニット取付ビスであり、角度調整された保持部材１０２が固定された固定部材１０１を撮像装置のミラーボックス２００に取りつける。ここで、固定部材１０１は撮像装置の構成上必ずしも必要ではなく、取付面１０７０、１０７１、１０７２をミラーボックス２００に直接設置し、ミラーボックス２００に対して保持部材１０２の角度・位置の調整を行っても良い。この構成とすると、ミラーボックスへの取付の際に乗る位置や角度の誤差を防ぐことができ、より高精度な調整が可能となる。
【００２８】
１１０、１１１は、突起部に設けられ組立工程中においてユニット固定部材１０１に突き当てられる突き当て部であり、１１０と１１１にはそれぞれユニット固定部材１０１に突き当てられる突き当て面１１０１と１１１１が設けられている。突き当て部１１０と１１１の形状についての詳細は後述する。１１２１と１１２２はユニット固定部材１０１に設けられた突き当て面であり、それぞれ保持部材１０２の突き当て面１１０１と１１１１に対向して設けられている。組立工程において、瞳調整用ビス１０４１は突き当て部１１１が突き当て面１１２１と突き当たるまで締め付けられる。
【００２９】
突き当て部１１１が突き当て面１１２１と突き当たると、瞳調整用ビス１０４１はそれ以上回転することができなくなり、瞳調整用ビス１０４１のビス締めを停止する。同様に瞳調整用ビス１０４２は突き当て部１１０が突き当て面１１２２と突き当たるまで締め付けられる。突き当て部１１０が突き当て面１１２２と突き当たると、瞳調整用ビス１０４２はそれ以上回転することができなくなり、瞳調整用ビス１０４２のビス締めを停止する。
【００３０】
以上のような構成にすれば、瞳調整用ビス１０４１と１０４２の組み付け時に回転量を制御するなどの複雑な装置を用いる必要がなくなる。突き当て部１１１と突き当て部１１０がそれぞれ突き当て面１１２１と突き当て面１１２２に突き当たった状態で瞳調整用ビス１０４１と１０４２を緩めることによって、瞳調整が可能となる。
【００３１】
図３は焦点検出ユニット１００を段付きビス１０４０、瞳調整用ビス１０４１、１０４２の軸方向から見た図である。図３において段付きビス１０４０と瞳調整用ビス１０４２とを結ぶ線Ｂは、撮像装置における撮影画面の長辺方向であるＸ方向と略平行となるように配置されている。また段付きビス１０４０と瞳調整用ビス１０４１とを結ぶ線Ａは、Ｘ方向と光軸方向両者に略垂直なＹ方向と略平行となるよう配置されている。これにより、瞳調整用ビス１０４１の締め付けによって焦点検出ユニットの角度はＸ方向と略平行な回転軸を中心に回転する。また、瞳調整用ビス１０４２の締め付けによって焦点検出ユニットの角度はＹ方向と略平行な回転軸を中心に回転する。これらの回転軸は直交しているため、瞳調整用ビス１０４１による瞳調整と瞳調整用ビス１０４２による瞳調整は各々の方向に対して独立に調整を行うことが可能となる。
【００３２】
突き当て部１１１は線Ａ上でかつ段ビス１０４０と瞳調整用ビス１０４１との間に配置され、突き当て部１１０は瞳調整用ビス１０４２の中心を通り、線Ａに平行な線上に配置されている。
【００３３】
図４は突き当て部１１０および１１１の形状の考え方を説明するための図である。Ｘ軸とＹ軸は瞳調整の軸を表している。瞳調整は種々の方法でなされるが、一般的に図４に示すように焦点検出ユニットの光軸と撮像素子の光軸のズレが領域Ｃ内に入っていないと調整することができなくなってしまう。本実施例において、領域Ｃを規定するＸ軸方向の角度をθ、Ｙ軸方向の角度をγとする。領域ＤはＸ＞θ、Ｙ＞γの領域である。
【００３４】
突き当て部１１１と突き当て部１１０がそれぞれ突き当て面１１２１と突き当て面１１２２に突き当たった状態において、焦点検出ユニットの光軸と撮像素子の光軸のズレは領域Ｄにある。この状態から瞳調整用ビス１０４１、１０４２を緩めることによって、焦点検出ユニットの光軸と撮像素子の光軸のズレを領域Ｃ内の状態として、瞳調整を可能とする。このとき、突き当て部１１１と突き当て部１１０がそれぞれ突き当て面１１２１と突き当て面１１２２に突き当たった状態では、領域Ｃに近いことが望ましい。なぜなら、瞳調整に必要な調整角度を超えた不要な傾きを小さくすることによって、部品間の干渉を配慮した余計なスペースを極力減らすことが小型化のために重要であるからである。
【００３５】
図５〜７を用いて、突き当て面１１０と１１１の形状について説明する。図５は焦点検出ユニットの光軸と撮像素子の光軸のズレがない状態における焦点検出ユニットを示す図である。つまり、図４の原点の位置にある状態を示している。図５（ａ）は焦点検出ユニット１００をＸ方向から見た側面図であり、図５（ｂ）は焦点検出ユニット１００を図５（ａ）とは逆方向から見た側面図である。図５（ａ）の点線Ｅで示した領域を拡大した図が図５（ｃ）であり、図５（ｂ）の点線Ｆで示した領域を拡大した図が図５（ｄ）である。
【００３６】
図５に示すように、突き当て面１１１１と突き当て面１１２１、突き当て面１１０１と突き当て面１１２２はそれぞれ離れた状態にある。さらに、Ｘ軸に直交する面内において、突き当て面１１１１と突き当て面１１２１、突き当て面１１０１と突き当て面１１２２のなす角度はγとなっている。
【００３７】
図６は瞳調整用ビス１０４１を締め付けた後の焦点検出ユニット１００の状態を示す図である。図６（ａ）は焦点検出ユニット１００をＸ方向から見た側面図であり、図６（ｂ）は焦点検出ユニット１００を図６（ａ）とは逆方向から見た側面図である。図６（ａ）の点線Ｇで示した領域を拡大した図が図６（ｃ）であり、図６（ｂ）の点線Ｈで示した領域を拡大した図が図６（ｄ）である。図６（ｃ）に示すように、突き当て面１１１１と突き当て面１１２１は接している。一方、図６（ｄ）に示すように、突き当て面１１０１と突き当て面１１２２は接していない。つまり、保持部材１０２は図５の状態からＹ軸方向にγだけ傾けられた状態となっている。
【００３８】
図６（ａ）の一点鎖線Ｉでの断面図を図６（ｅ）に示す。図６（ｅ）中の点線Ｊで示した領域を拡大した図が図６（ｆ）であり、点線Ｋで示した領域を拡大した図が図６（ｇ）である。図６（ｆ）で示すように、突き当て面１１１１は略円弧上の形状となっている。突き当て面１１１１の略円弧の中心は保持部材１０２の回転中心と一致している。よって、保持部材１０２が回転しても、突き当て面１１１１は突き当て面１１２１と接した状態を維持することができる。また、図６（ｇ）に示すように、Ｙ軸に直交する面内において、突き当て面１１０１と突き当て面１１２２のなす角度はθとなっている。
【００３９】
図７は図６の状態からさらに瞳調整用ビス１０４２を締め付けた後の焦点検出ユニット１００の状態を示す図である。図７（ａ）は焦点検出ユニット１００をＸ方向から見た側面図であり、図７（ｂ）は焦点検出ユニット１００を図７（ａ）とは逆方向から見た側面図である。図７（ａ）の点線Ｅで示した領域を拡大した図が図７（ｃ）であり、図７（ｂ）の点線Ｆで示した領域を拡大した図が図７（ｄ）である。また、図７（ａ）の一点鎖線Ｎでの断面図を図７（ｅ）に示す。図７に示すように、突き当て面１１１１と突き当て面１１２１、突き当て面１１０１と突き当て面１１２２は接した状態となる。つまり、保持部材１０２は図６の状態からＸ軸方向にθだけ傾けられた状態となっている。
【００４０】
以上のような構成とすることによって、保持部材１０２は突き当て部１１１と突き当て部１１０がそれぞれ突き当て面１１２１と突き当て面１１２２に突き当たった状態において、図４のＸ＝θ、Ｙ＝γの状態とすることができる。
【００４１】
以上のような構成によれば、カメラの大型化を招くことなく高精度な焦点検出ユニットの角度調整が可能な焦点検出ユニット取付機構を提供することができる。
【００４２】
以上説明した各実施例は代表的な例にすぎず、本発明の実施に際しては、各実施例に対して種々の変形や変更が可能である。
【符号の説明】
【００４３】
２００  カメラ筐体、３００  交換レンズ、４００  ミラーボックス
【図１】
2016142775.tif 000003
【図２（ａ）】
2016142775.tif 000004
【図２（ｂ）】
2016142775.tif 000005
【図２（ｃ）】
2016142775.tif 000006
【図３】
2016142775.tif 000007
【図４】
2016142775.tif 000008
【図５（ａ）】
2016142775.tif 000009
【図５（ｂ）】
2016142775.tif 000010
【図５（ｃ）】
2016142775.tif 000011
【図５（ｄ）】
2016142775.tif 000012
【図６（ａ）】
2016142775.tif 000013
【図６（ｂ）】
2016142775.tif 000014
【図６（ｃ）】
2016142775.tif 000015
【図６（ｄ）】
2016142775.tif 000016
【図６（ｅ）】
2016142775.tif 000017
【図６（ｆ）】
2016142775.tif 000018
【図６（ｇ）】
2016142775.tif 000019
【図７（ａ）】
2016142775.tif 000020
【図７（ｂ）】
2016142775.tif 000021
【図７（ｃ）】
2016142775.tif 000022
【図７（ｄ）】
2016142775.tif 000023
【図７（ｅ）】
2016142775.tif 000024